(57)【要約】【課題】  フォーマットの方法を簡略化し、短時間でのフォーマットが可能な情報記録媒体、及びその情報記録媒体を用いる情報記録再生装置、情報記録再生方法を提供する。  【解決手段】  この情報の書き換えが可能な情報記録媒体は、現在のフォーマット済み領域の範囲を示す情報を保存する領域と、過去のフォーマット済み領域の範囲を示す情報を保存する領域とを有し、光ディスク装置は過去のフォーマット済み領域の情報を利用することで、フォーマット時間を短縮することができる。【選択図】  図３８
2007179666.tif 000002
【特許請求の範囲】
【請求項１】
情報の記録が可能な情報記録媒体であって、
現在のフォーマット済み領域の範囲を示す情報を保存する領域と、
過去のフォーマット済み領域の範囲を示す情報を保存する領域とを有することを特徴とする情報記録媒体。
【請求項２】
前記過去のフォーマット済み領域の範囲を示す情報を保存する領域に保存される過去のフォーマット済み領域の範囲を示す情報が直前に使用されたフォーマット済み領域であることを特徴とする請求項１記載の情報記録媒体。
【請求項３】
前記過去のフォーマット済み領域の範囲を示す情報を保存する領域に保存される過去のフォーマット済み領域の範囲を示す情報が過去にフォーマットされた領域の中で、最大のフォーマット済み領域であることを特徴とする請求項１記載の情報記録媒体。
【請求項４】
情報の記録が可能な複数の記録層を有し、
各記録層別々の前記過去のフォーマット済み領域の範囲を示す情報を保存する領域を有することを特徴とする情報記録媒体。
【請求項５】
情報の書き換えが可能な情報記録媒体であって、
情報記録再生装置のための管理情報を保存する領域と、
該情報記録再生装置のための管理情報を保存する領域を複数個所有し、
該情報記録再生装置のための管理情報を保存する領域のうち一箇所は他の箇所に保存された、前記情報記録再生装置のための管理情報の複製を保存する領域であり、
複数のフォーマット方法の管理情報の保存が可能で、かつすべての種類の前記複数のフォーマット方法の管理情報が１種類の前記情報記録再生装置のための管理情報に保存が可能であることを特徴とする情報記録媒体。
【請求項６】
前記情報記録再生装置のための管理情報に前記情報記録再生装置のための管理情報を保存する領域及び前記情報再生装置のための管理情報を保存する領域の記録状態を示す情報を保存する領域が設けられていることを特徴とする請求項５記載の情報記録媒体。
【請求項７】
情報の書き換えが可能で、ユーザーの情報を保存する領域と管理情報を保存する領域が別々に設けられており、該管理情報にユーザー情報の為にフォーマットされた領域の範囲を示す情報を保存する領域を有する情報記録媒体に情報を記録する情報記録方法であって、
前記ユーザーの情報を保存する領域をフォーマットする工程と、
前記管理情報を保存する領域をフォーマットする工程とを有することを特徴とする情報記録方法。
【請求項８】
情報の書き換えが可能で、ユーザーの情報を保存する領域と管理情報を保存する領域が別々に設けられており、該管理情報にユーザー情報の為にフォーマットされた領域の範囲を示す情報を保存する領域を有する情報記録媒体に情報を記録する情報記録方法であって、
ユーザーの情報を保存する領域をフォーマットする工程を有し、
このフォーマットする工程において、過去のフォーマットを行った領域の範囲を示す情報を保持することを特徴とする情報記録方法。
【請求項９】
前記過去にフォーマットされた範囲を示す情報が存在する場合で該過去にフォーマットされた範囲がフォーマットを行う範囲よりも広い場合には、過去にフォーマットされた範囲から再びフォーマットのための記録を開始し、
該フォーマットされた範囲がフォーマットを行う範囲よりも狭い場合には、フォーマット済み領域の終端を示す目印を移動するための記録を行うことを特徴とする請求項８に記載の情報記録方法。
【請求項１０】
情報の書き換えが可能で、ユーザーの情報を保存する領域と管理情報を保存する領域が別々に設けられており、該管理情報にユーザー情報の為にフォーマットされた領域の範囲を示す情報を保存する領域を有する情報記録媒体に情報を記録する情報記録方法であって、
すでにフォーマット済みの前記情報記録媒体を再びフォーマットする場合には、前記ユーザーの情報を保存する領域に記録された前記フォーマット済み領域の終端を示す目印を消去する工程と、
再び新しいフォーマット済み領域の終端を示す目印を記録する工程を有することを特徴とする情報記録媒体。
【発明の詳細な説明】
【技術分野】
【０００１】
この発明は、記録可能な情報記録媒体、及びその情報記録媒体を用いた情報記録再生装置、情報記録方法に関する。
【背景技術】
【０００２】
映像信号等の大量な情報を記録できる記録媒体として、ＤＶＤ（デジタル・バーサタイル・ディスク）が普及している。特に、再生専用のＤＶＤ−ＲＯＭと互換性の高いＤＶＤ−ＲＷといった書き換え型の記録媒体の普及により、放送される映像を家庭内でＤＶＤに記録したり、映像を編集し、それを再生専用の装置で視聴したりすることが可能になった。ここで、書換え型の記録媒体においては、ユーザーデータの記録状態を管理するためにマネジメント情報を保持する必要があり、データ領域の内周側や外周側にマネジメント情報を記録するための記録可能管理領域がそれぞれ設けられている。それらの形態は（例えば、特許文献１）や、ＥＣＭＡ−３３８といった文献に開示されている。またこれらの媒体では、再生専用の媒体と互換を保つために、ユーザーデータの記録を開始する前に、ディスクの使用方法によって予めフォーマット作業を必要とする他、使用方法を変更したい場合にも再びフォーマット作業が必要となっていた。また、このフォーマットの作業には非常に長い時間がかかるといった問題があった。
【特許文献１】特開２０００−２８５４６２号公報
【発明の開示】
【発明が解決しようとする課題】
【０００３】
上記特許文献１に記載の技術のように、従来の書き換え型の記録媒体では、ディスクを使用する際にフォーマットが必要であり、かつその作業に長い時間がかかるという問題があった。
【０００４】
本発明はこれに鑑み、フォーマットの方法を簡略化し、短時間でのフォーマットが可能な情報記録媒体、及びその情報記録媒体を用いる情報記録再生装置、情報記録方法を提供することにある。
【課題を解決するための手段】
【０００５】
上記した課題を解決するために、この発明は、情報の記録が可能な情報記録媒体であって、現在のフォーマット済み領域の範囲を示す情報を保存する領域と、過去のフォーマット済み領域の範囲を示す情報を保存する領域とを有することを特徴とする。
【発明の効果】
【０００６】
この発明によれば、フォーマット時間の短い記録可能な情報記録媒体、及びその情報記録媒体を用いる情報記録装置、情報記録方法を提供することができる。
【発明を実施するための最良の形態】
【０００７】
以下、この発明の実施例について、図面を参照しながら詳細に説明する。
【０００８】
（光ディスク記録再生システム）
図１及び図２は、本発明の実施形態の一つである情報記録再生システムのブロックを示す図である。
【０００９】
図１に示す情報記録再生システムは、映像やユーザーデータ等の情報を記録、再生する媒体である光ディスク１０と、光ディスク１０に情報を記録したり、光ディスク１０から情報を再生する光ディスク装置１２と、光ディスク装置１２に指令を発行し、光ディスク装置１２を介して光ディスク１０から必要な情報を読み出し、映像の再生やユーザーへの情報の表示等を行うホスト部１４からなっている。
【００１０】
光ディスクレコーダやプレーヤーといった装置１６は図１に示すようにその装置１６内に、光ディスク装置１２とホスト部１４を内蔵している。ホスト部１４は図示しないが、ＣＰＵ（Central Porcessing Unit）や作業領域として用いられるＲＡＭ（Random Access Memory）、設定パラメータやその他電源が落とされても保持しておくべき種々のデータを記憶保持するＥＥＰＲＯＭ（Electrically Erasable and Programmable ROM）やフラッシュメモリーなどの不揮発性メモリを備えたものである。これらのメモリにはユーザーの要求に対して実行される種々のプログラムや処理に必要なデータやファイル管理に必要なファイルシステム等が記録されている。たとえば、ＤＶＤビデオフォーマットのＵＤＦブリッジファイルシステム、ＤＶＤビデオレコーディングフォーマットのＵＤＦファイルシステム、また、次世代ビデオフォーマットのＵＤＦファイルシステム、次世代ビデオレコーディングフォーマットのＵＤＦファイルシステム、アプリケーションソフトなどが搭載されている。
【００１１】
一方、パーソナルコンピュータ等のシステムでは、図２に示すようにパーソナルコンピュータがホストＰＣ１８となる。光ディスク装置１２に対する指示の発行は、ＯＳ（オペレーションソフト）やライティングソフト、ビデオ再生ソフトといったアプリケーションソフトを実行することにより行われる。
【００１２】
（光ディスク装置）
図３に本発明の実施形態の一つである光ディスク装置のブロック図を示す。
【００１３】
光ディスク装置は、光学ヘッド（ピックアップヘッド：ＰＵＨ）アクチュエータ２２から出射されるレーザー光を光ディスク１０の情報記録層に集光することで、情報の記録再生を行っている。光ディスク１０から反射した光は、再び、ＰＵＨアクチュエータ２２の光学系を通過し、フォトディテクター（ＰＤ）２４で電気信号として検出する。検出された電気信号は、プリアンプ２６で増幅され、サーボ回路２８、ＲＦ信号処理回路３０、アドレス信号処理回路３２に出力される。サーボ回路２８では、フォーカス、トラッキング、チルト等のサーボ信号が生成され、各信号がそれぞれ、ＰＵＨアクチュエータ（フォーカス、トラッキング、チルトアクチュエータ）２２に出力される。ＲＦ信号処理回路３０、アドレス信号処理回路３２における記録されたデータの読み取りや、アドレス信号等のこの際の復調方法としては、スライス方式やＰＲＭＬ（Partial Response Maximum Likelihood）方式がある。光ディスク装置は記録再生の対象となる光ディスク１０とＰＵＨアクチュエータ２２によって形成される集光ビームスポットのサイズによって最適な復調方式を選択する。スライス方式には、再生信号に線形な波形等化を行った後に信号を２値化する方法や、再生信号の低域の高振幅成分を一定の値に制限するリミットイコライザと呼ばれる非線形等化器によって等化した後に信号を２値化する方法などがある。
【００１４】
また、ＰＲＭＬ方式に関しても、再生信号の周波数特性に対応して、最適なＰＲクラスたとえば、ＰＲ(1,2,2,21)や、ＰＲ(1,2,1)、ＰＲ(1,2,2,1)、ＰＲ(3,4,4,3)等が選択される。アドレス信号処理回路３２では、検出された信号を処理することにより、光ディスク上の記録位置を示す物理アドレス情報を読み出し、コントローラー３４に出力する。コントローラー３４はこのアドレス情報を元に、所望の位置のユーザーデータ等のデータを読み出したり、所望の位置にデータを記録したりする。この際、データは記録信号処理回路３６で光ディスク記録に適した記録波形制御信号に変調される。この信号を元にLD駆動回路（ＬＤＤ）３８は光学ヘッド２２内のレーザダイオード（ＬＤ）を発光させ、光ディスク１０に情報を記録する。
【００１５】
また、本実施形態ではレーザダイオードの波長は４０５±１５ｎｍである。また、光学ヘッド２２内で上記波長の光を光ディスク上に集光させるために用いられる対物レンズのＮＡ値は０．６５である。また、対物レンズに入射する直前の入射光の強度分布として、中心強度を“１”とした時の対物レンズ周辺（開口部境界位置）での相対的な強度を“ＲＩＭ  Intensity”と呼ぶ。ＨＤ  ＤＶＤフォーマットにおける前記ＲＩＭ  Intensityの値は５５〜７０％になるように設定してある。この時の光学ヘッド２２内での波面収差量は使用波長λに対して最大０．３３λ（０．３３λ以下）になるように光学設計されている。
【００１６】
（光ディスク）
図４に本発明の実施例の一形態である、光ディスクの情報記録レイヤーの模式図を示す。図５は図４で示した拡大部分の図である。
【００１７】
本実施例では、光ディスク１枚に情報記録レイヤーが１つの場合を主に説明しているが、情報記録レイヤーが複数であっても本発明の効果を得ることが可能である。この際、複数の層に跨るデータ領域を一本のデータ領域とみなせばよい。図９に本発明の光ディスクのエンボス領域と書換え可能な記録領域の物理仕様を示す。ここで、回転制御方式のＣＬＶとはConstant liner velocityの略で、線方向の速度を一定に保った回転制御方法を意味している。また、ＥＴＭ（Eight to Twelve modulation）とは変調方式の一つで、８ビットの情報ビットごとに、冗長性を持たせた１２ビットのチャネルビットに変換して信号を記録する方式である。この冗長性を持たせた事により、直接情報ビットを光ディスクに記録する場合に比べ情報の記録再生の信頼度が飛躍的に向上している。
【００１８】
光ディスクの情報記録レイヤーには図５に示すように情報の記録再生の案内溝となる凹凸、グルーブが形成されている。ここで、光入射側から見て手前をグルーブ、奥をランドと呼ぶ。ディスクには、グルーブのみに記録を行うもの、ランドのみに記録を行うもの、グルーブとランドの両方に記録を行うものがある。さらに、この案内溝は半径方向にサイン波状に蛇行（ウォブル）している。そしてこのサイン波の位相を切り替えることにより情報記録領域における物理的な位置を示す物理アドレス情報やディスクの固有情報を記録している。ウォブルの変調領域は、９３ウォブル中１６ウォブル設けられており、さらにウォブル信号に記録する情報の１ビットに当たる１シンボルは４ウォブルで構成される。ウォブルの形状は特にこれに限定するものではないが、以下特に断りのない限りこの値を参考に説明を進める。
【００１９】
（情報エリアのレイアウト）
図６に情報記録レイヤーのレイアウトを示す。レイヤーの領域の構成は内周側からバーストカッティング(ＢＣＡ：Burst cutting area)領域、エンボス管理領域（System Lead-in area）、始端記録可能管理領域（Data Lead-in area）、データ領域（Data area）、終端記録可能管理領域（Data Lead-out area）に区分されている。ＢＣＡ領域には、基板の溝や、反射膜の剥離、記録媒体の変化によってＢＣＡマークがあらかじめ記録されている。ＢＣＡマークは光ディスクの円周方向に変調されており、半径方向には同一の情報が並ぶ櫛型のマークである。ＢＣＡコードは、ＲＺ変調方法により変調されて記録される。パルス幅が狭い（＝反射率の低い）パルスは、この変調されたＢＣＡコードのチャネルクロック幅の半分よりも狭い必要が有る。また、ＢＣＡマークは半径方向に同一の形状を持っているため、トラッキングをかける必要がなく、フォーカスをかけただけで情報の再生が可能となる。
【００２０】
エンボス管理領域にはエンボスピットで情報が記録されている。この情報は、ディスクの識別情報やデータ領域の容量といった、光ディスクの管理情報である。また、この領域のエンボスピットの最短マーク長はデータ領域の倍の値になっている。この結果、通常のデータ領域はＰＲＭＬ方式を用いて再生されるが、エンボス管理領域においては、スライス方式を用いても情報の復調が可能となるほか、情報の読み取りの信頼性が高くなるという特徴がある。エンボス管理領域には、ディスクの情報読み出しの基本となる管理情報や、コピー権マネジメントの情報等が記録されるため、エンボス管理領域の読み取り信頼性を高めることは重要である。
【００２１】
次に記録可能管理領域には、データ領域と同じように、案内溝であるグルーブが形成されている。この領域には、データ領域と同じ密度で信号の記録の記録を行う。この領域には、試し書き領域や、データ領域の記録状態を把握するためのマネジメント領域、ＤＰＤトラッキング用のトラッキングオーバーラン領域等が配置される。
【００２２】
データ領域には、映像データやユーザーデータといったデータ等が記録される。
【００２３】
（詳細レイアウト）
図７及び図８に本発明の実施形態の一つである光ディスクの内周側と外周側の情報エリアの詳細なレイアウトの一例を示す。最内周にＢＣＡ領域（図示省略）がある。次に、エンボス管理情報領域がある。エンボス管理情報領域は、図示しないが、イニシャル領域、バッファー領域、コントロールデータ領域に区分されており、コントロールデータ領域内には、フォーマット情報が保存されている。続いて、内周側記録可能管理領域には、ガード領域とテスト領域（６１６物理セグメント（ＰＳ）ブロック）、マネジメント領域（５００ＰＳブロック）、フォーマット情報記録領域(７ＰＳブロック)、リファレンスコード記録領域(１ＰＳブロック）が配置されている。ガード領域は、ＤＰＤトラッキングのオーバーラン対策や誤記録防止の為に、ダミーデータが記録されたり、未記録のまま保持される領域である。テスト領域は、光ディスクに管理情報やユーザー情報を記録する前に、記録波形を最適化するための試し書きをする領域である。マネジメント領域は、データ領域に記録中のデータの状態を管理するためのマネジメント情報が記録される領域である。フォーマット情報記録領域は、記録再生装置及び再生専用装置どちらでも使用可能で、ディスクの記録状態を示すフォーマット情報を記録するための領域である。本発明の光ディスクでは、このフォーマット情報記録領域に予め定められた規定のデータが記録されている場合には、その光ディスクは再生専用装置での再生が可能となる。また、未記録状態もしくは、ダミーデータや、規定のフラグが立っていないデータ等が記録された場合には、再生専用装置での再生ができないことをあらわす。
【００２４】
次に、外周側記録可能管理領域には、図８に示すようにそれぞれ二つのガード領域とテスト領域が配置されている。内周側のガード領域には、ＤＰＤトラッキングのオーバーラン対策の為、データが記録されることがあるが、外周側のガード領域は常に未記録状態である。
【００２５】
（ＢＣＡの内容）
図１０に本発明の実施形態の一つである光ディスクのBCA領域に記録された情報の内容を示す。ＢＣＡデータは、２個のＢＣＡプリアンブル７３、７４と２個のポストアンブル７６、７７及び２個のＢＣＡデータ領域（ＢＣＡＡ）７８、７９を持ち、各ＢＣＡデータ領域（ＢＣＡＡ）７８、７９にはＢＣＡエラー検出コードＥＤＣＢＣＡ８０とＢＣＡエラー訂正コードＥＣＣＢＣＡが付加され、その間にはＢＣＡ連結領域７５が配置されている。更に各４バイト毎に１バイトずつのシンクバイトＳＢＢＣＡ８３またはリシンクＲＳＢＣＡ８４が挿入されている。ＢＣＡプリアンブル７３、７４は４バイトで構成され、全て“００ｈ”が記録される。また各ＢＣＡプリアンブル７３、７４の直前にはシンクバイトＳＢＢＣＡ８３が配置される。各ＢＣＡデータ領域（ＢＣＡＡ）７８、７９内には、７６バイトが設定されている。ＢＣＡポストアンブル７６、７７は４バイトで構成され、全て“５５ｈ”の繰り返しパターンが記録されている。ＢＣＡ連結領域７５は、４バイトで構成され、全て“ＡＡｈ”が繰り返し記録される。
【００２６】
ＢＣＡデータ領域にはＢＣＡレコードをひとつの単位としてひとつ、もしくは複数の情報が記録される。これはたとえば、ディスクの識別情報やコピー制御の為の情報である。図１１に示されたのは、ディスクの識別情報をあらわすＢＣＡレコードの例である。はじめの２バイトには、そのＢＣＡレコードがどの種類（識別情報、コピー制御情報等）のレコードかを表すＢＣＡレコード識別子が記録される。続いて、ＢＣＡレコードの形式を示すＢＣＡレコードのバージョン番号（１バイト）が記録される。次に、ＢＣＡレコードのサイズを決めるデータ長（１バイト）が記録される。この長さには、ＢＣＡレコードのヘッダであるＢＣＡレコード識別子からデータ長までの４バイトは含まれない。
【００２７】
次に、１バイトのブックタイプとディスクタイプが記録される。ブックタイプはディスクのフォーマット及び再生専用、追記型、書き換え型等を示す識別子である。ディスクタイプは図１２に示すように、１ビットごとに情報が割り振られており、最上位ビットは、記録マーク（ピット）の反射率が非マーク（ピット）部よりも高い（Low to High記録）か、低い（High to Low記録）かを表す極性識別子、次のビットはそのディスクがレイヤー毎に違うフォーマットを有しているツインフォーマット（ＴＦ）ディスクであるか否かを示す識別子が記録されている。ここで、ＴＦディスク識別子がバイナリで０の場合、そのディスクは、ツインフォーマットディスクではないことを示し、１の場合、ツインフォーマットディスクであることを示す。  さらに、各１バイトの拡張パートバージョンと拡張ディスクタイプが記録され、最後の１バイトは予備とされる。ディスクタイプの予備のバイト及び拡張ディスクタイプには、トラッキングの極性情報や、情報記録レイヤーの数等を保存することも可能である。
【００２８】
ＢＣＡにこれらの情報が保存されていることにより、ディスクの最内周のＢＣＡ領域にフォーカシングサーボ掛けるだけでＢＣＡを再生することが可能である。さらに、その結果からディスクのフォーマットや型、信号極性等の判別が直ちに可能であるため、その後、所望のレイヤーのデータ領域及び記録可能管理領域にアクセスし、トラッキングサーボを動作させる処理が迅速になるという利点がある。
【００２９】
（エンボス管理領域フォーマット情報の内容）
図１３にレイヤー０に設けられたエンボス領域のフォーマット情報の内容を示す。
【００３０】
ブックタイプはディスクのフォーマット及び再生専用、追記型、書き換え型等を示す識別子である。パートバージョンは、そのフォーマットのバージョン管理情報である。ディスクサイズにはそのディスクの直径を示す情報が記録される。たとえば、１２ｃｍのディスクであれば0000b、８ｃｍのディスクであれば0001bが記録される。最大転送レートには必要であれば、ディスクに記録されたデータを正常に再生するのに必要となる最大の転送レートが記録される。ディスク構造には、そのフォーマットのレイヤーの数、各レイヤーでトラックが内周側から外周側に向かっているか、内周側に向かっているかの極性を示す情報、そのレイヤーが再生専用であるか、追記型か、書き換え型であるかといった情報が記録される。ここでのレイヤーの数は、ディスクの持つレイヤー数ではなく、フォーマットのレイヤー数である。記録密度には、ディスク接線方向の密度とトラックピッチを表す情報が記録される。データエリア構造にはデフォルトのデータ領域の開始アドレスと終了アドレスが記録される。ＢＣＡ識別子には、ＢＣＡがあるか無いかを示す情報を記録する。記録可能速度識別情報には、そのディスクに対して記録が可能な記録速度を表す情報が記録される。また、拡張パートバージョンにはパートバージョンの拡張情報を記録する。最大再生スピードには、ディスクに記録されたデータを正常に再生するのに必要となる最大の線速度が記録される。レイヤー情報にはレイヤー０及びレイヤー１に配置されたディスクの種類が記録される。
【００３１】
マーク極性情報には記録マークの反射率が未記録部に対して、高いか低いかを示す情報が記録されている。ここが00000000bであれば、記録マークの反射率は未記録部より高く、ここが10000000bであれば、記録マークの反射率が未記録部よりも低いことを示す。標準速度情報には、標準の記録速度が記録される。たとえば本実施形態の光ディスクでは６．６ｍ／ｓとなる。次に、リム強度情報には、後述の記録波形情報を決定した際のＰＵＨのリム強度の値を記録する。再生パワー情報には、データ領域を再生する場合に必要な再生パワーの値を指定する。
【００３２】
実効記録スピード情報には、そのディスクが対応可能な記録スピードの実際の値がすべて記録されている。データ領域反射率にはデータ領域にデータを記録した後の反射率が示されている。ここで、マーク極性情報が00000000bであれば、マーク部の反射率、10000000bであれば、非マーク（スペース）部の反射率が記録される。
【００３３】
次に、プッシュプル信号振幅情報にはプッシュプル信号を和信号で正規化した値と、記録再生を行うトラックを示すトラック情報が記録される。トラック情報が0bである場合、信号の記録再生はグルーブで実施することになり、1bである場合には、ランドで実施することになる。また、オントラック信号情報は、データ領域の未記録部の和信号レベルをエンボス管理領域の最大反射レベルで規格化した値が記録される。これはたとえば２層の記録レイヤーを持つディスクであれば、レイヤー０の部分にディスク表面からみて手前のレイヤーの情報を保存し、レイヤー１の部分に奥のレイヤーの情報を保存する。ディスクが１層の記録レイヤーしか持たない場合は、レイヤー０の部分に情報を保存し、レイヤー１の部分はすべて“０”のデータで埋めておく。
【００３４】
次に、記録波形情報にはそれぞれ、ディスク製造メーカが推奨する最適な記録波形情報が記録される。これは、記録波形のピークパワーの値やボトムパワーの値、先頭、中間、最終パルスの開始終了位置などの値である。
【００３５】
図１３（ｂ）にデータエリア構造の詳細な内容を示す。データエリア構造には、データ領域の開始物理セクターの番号（PSN）、記録可能領域最大物理セクター番号(PSN)が記録される。ここで、データ領域の開始物理セクターの番号は、１層ディスクの場合、30000hである。また、2層ディスクの場合は40000hとなる。これは、２層のディスクが互いの層が干渉しあう層間クロストークの影響を避けるために、ガード領域を多く持つためである。また、１層ディスクの場合、レイヤー０の記録可能領域最大物理セクター番号（ＰＳＮ）はすべて“０”のデータで埋めておく。
【００３６】
（記録可能管理領域フォーマット情報の内容）
図１４に記録可能管理領域のフォーマット情報記録領域に記録するフォーマット情報を示す。この情報は、光ディスク装置がディスクに情報を記録する過程で、記録可能管理領域に記録する情報である。ここで、データエリア構造情報及びボーダーゾーンの開始物理セクター番号を除く情報は、エンボス領域のフォーマット情報と同様の値が記録される。
【００３７】
図１４（ｂ）に記録可能管理領域のフォーマット情報におけるデータエリア構造の内容を示す。本データエリア構造にはデータ領域の開始物理セクターの番号（PSN）、フォーマット領域（後述）の終了物理セクター番号（PSN）が記録される。また、２層ディスクの場合には、レイヤー０のフォーマット領域の終了物理セクター番号（ＰＳＮ）も保存する。この値は、後述の中間記録可能管理領域の拡張の指令によって、変化する。１層ディスクの場合この部分はすべて“０”のデータで埋めておく。ここでは、エンボス管理領域のフォーマット情報と異なり、完全状態にある光ディスクのフォーマット領域の終了物理セクター番号（PSN）が記録されている。ユーザーデータは、フォーマット領域内に記録され、フォーマット領域外ではデータが記録されていないか、存在してもそれは古いデータの消し残りである。従って、光ディスク装置は、この情報を再生することで、光ディスクの情報の読み取りが可能な範囲を知ることができる。また、フォーマット領域の終了物理セクター番号（PSN）がすべて０で埋められている場合、その光ディスクがクローズされていないすなわち完全状態ではないと判断することが可能となる。
【００３８】
図１４（ｃ）に記録可能管理領域のフォーマット情報におけるボーダーゾーンの開始物理セクター番号の詳細を示す。ここで、光ディスクがデータ領域に複数のボーダードエリアすなわちフォーマット領域を持つ場合には、ボーダーゾーンはボーダーアウト及びボーダーインで構成される。ここには、ボーダーアウトの開始物理セクター番号（PSN）とボーダーインの開始物理セクター番号（PSN）が記録される。一方で、次のボーダードエリアが作成禁止である場合には、ボーダーインの開始物理セクター番号はすべて０で埋められる。また、データ領域に一つのフォーマット領域しか持たない、光ディスクではボーダーアウトの開始物理セクター番号の部分には、終端ブロックの開始物理セクター番号が記録される。この場合、たとえばここが０で埋まっていればそのディスクはクローズされていないすなわち完全状態でないと判断することが可能となる。
【００３９】
（マネジメント領域）
図１５にマネジメント領域の構成を示す。マネジメント領域の最初のブロックにはリードイン記録マネジメントデータが記録される。次に、マネジメント領域の次の１２７ブロックには記録マネジメントデータ複製領域が割り当てられる。残りの領域には記録マネジメント領域が割り当てられる。ここで、リードイン記録マネジメントデータは光ディスク装置がマネジメント領域に最初にデータを記録する際に記録する情報である。ここは、予備領域とＩＤ領域に分割されており、ＩＤ領域には図１６に示すように、記録を行う光ディスク装置の製造会社の識別番号である記録再生装置製造会社識別番号や、その装置のシリアル番号、モデル番号が繰り返し記録される。ディスク固有番号にはディスク識別用にディスク毎に固有な番号を光ディスク装置が記録する。
【００４０】
記録マネジメントデータ複製領域には、適宜、記録マネジメントデータ(RMD)の複製を記録しておく。たとえば、記録マネジメント領域に一定回数ＲＭＤを記録した場合や、フォーマット動作時、イジェクト時、アンロード時などに複製を記録するようにする。従来のＤＶＤ-ＲＷ等では、管理領域であるＰＭＡ（Program management area）を２つの領域にわけ、両方で異なるタイプ（Format2、Format3等）の管理情報を記録するようにしていたが、本発明の実施例では、このように両方の管理情報の内容を同一としたことで、ディスクの状態を一元的に管理できるようになったほか、最新のＲＭＤの検索時間は従来とほとんど変わらないという利点を有している。
【００４１】
また、記録マネジメント領域にはデータ領域の記録状態を表す記録マネジメントデータ（RMD）を記録していく。ここで、ＲＭＤは複数個を１つのグループとして管理する。グループ内にはＲＭＤグループ情報のＲＭＤ番号を除いて同じ内容のＲＭＤが記録される。ＲＭＤの情報の更新はグループ単位で行われる。従って、グループ内のいくつかのRMDが欠陥等で読み出し不可能になった場合でも、残ったＲＭＤから正しいデータを読み出すことが可能になる。また、このグループが記録される位置は内周側から＃０、＃１、＃２という風に順に番号が振られている。
【００４２】
図１７に記録マネジメントデータの構成を示す。記録マネジメントデータは３２の物理セクターで構成されており、初めのセクターは予備フィールドとなっている。次のフィールドからは順に番号が振られており、それぞれ異なる情報が記録されている。
【００４３】
図１８にフィールド０の情報を示す。ＲＭＤ記録形式識別子には、ＲＭＤのデータの記録形式を示す情報が記録される。ディスク状態情報には、図１９（ａ）に示すような情報が記録される。たとえば、ディスク状態情報が００ｈであれば、データエリアデータが記録されていない、もしくは有効なフォーマット領域が形成されていないことを示す。０３ｈであれば、ディスクは追記可能ディスクで、ディスクがファイナライズされているということがわかる。０８ｈであれば、ディスクはドライブ独自モードで記録が行われていることを示す。１１ｈである場合には、ディスクはフォーマットを実施している途中であることを示す。１２ｈであればディスクは書換え型であり、クローズされているということを示す。１３ｈであればディスクは書換え型であり、データ領域にデータが記録されており、クローズされていないということを示す。８０ｈ、９２ｈ及び、９３ｈにはそれぞれの状態における記録禁止を示す情報が割り当てられている。
【００４４】
図１８（ｂ）に記録マネジメントデータ内のデータエリア構造の詳細を示す。このバイトには、エンボス管理領域のフォーマット情報のデータエリア構造と同じ値が記録される。
【００４５】
図１８（ｃ）に更新データエリア構造の内容を示す。ここには、フォーマッティングもしくは、クローズ、消去時に変更された後のデータエリア構造の値が記録される。特に、更新記録可能最大物理セクター番号（PSN）は、完全状態のディスクであれば、フォーマット領域の終了物理セクター番号が保存される。一方、中間記録状態であれば、００ｈもしくはデータ領域の最大物理セクター番号が保存される。２層ディスクの場合、レイヤー０の更新記録可能最大物理セクター番号（ＰＳＮ）も保存する。この値は、後述の中間記録可能管理領域の拡張の指令によって変化する。ディスク更新識別子は、データエリア構造がどのような状態で変更されたかを示す情報である。たとえば、フォーマッティングの際に変更された場合には、１ｈが記録され、クローズ時に変更された場合には２ｈが記録される。
【００４６】
図１９（ｂ）にパディング状態管理情報の内容を示す。パディング状態管理情報の各ビットには、光ディスクの各領域が割り当てられている。そして、それらの領域がパディング、すなわち有効、ダミーにかかわらず何らかのデータで記録されているか否かを示す情報が保存される。このビットが１ｂである場合、その領域は確実にパディングされていることを示す。このビットが０ｂである場合、その領域が未記録であるか、パディングされた情報が失われたことをしめす。
【００４７】
本発明の光ディスクでは、この管理情報によって、記録マネジメント領域や記録可能管理領域のフォーマット情報の記録状態が判別できるため、たとえばQuickフォーマット（後述）の際に、記録可能管理領域のフォーマット情報を上書きすべきか否かの判定等を瞬時に行うことが可能になる。これによりフォーマットにかかる時間を短縮することができる。また、図示はしないが、パディング状態管理情報の次のビットに、記録内容管理情報を保存するようにしても良い。記録内容管理情報とは、パディング状態管理情報と同様に、ビット毎に光ディスクの各領域、記録マネジメント複製領域、記録マネジメント領域、フォーマット情報、リファレンスコード情報等が割り当てられている。そして、それらのビットが１ｂの場合には、その領域に有効なデータが記録されていること、０ｂの場合には、記録されていないか、ダミーデータ等の有効でないデータが記録されていることを表す。
【００４８】
図１８（ｄ）にテスト領域配置情報の内容を示す。テスト領域は、拡張やシフトで位置が変化する場合があるので、このバイトにその時点での最新のテスト領域（内周テスト領域、外周テスト領域、拡張テスト領域）の開始物理セクターの番号と終了物理セクターの番号もしくは、領域のサイズを記録しておく。こうすることで、テスト領域の検索を素早く行うことが可能となる。
【００４９】
ＲＭＤグループ情報は、ＲＭＤグループのサイズとグループ内のＲＭＤ順序を示す情報が記録される。たとえば、ＲＭＤグループが５個で構成される場合には、サイズは５で、先頭のＲＭＤの順序は１、次のＲＭＤの順序は２といった形である。ＲＭＤ更新カウンタはＲＭＤを新しく記録するたびに１ずつ増やしていくカウンタである。従って、このカウンタが最も大きいＲＭＤ及びＲＭＤグループが最新のＲＭＤ及びＲＭＤグループということになる。
【００５０】
カレントＲＭＤグループ位置情報は、最新のＲＭＤグループのアドレスもしくは番号を示す。このカレントＲＭＤグループ位置情報と記録マネジメントデータ複製領域を活用することにより、最新のＲＭＤの検索が早くなる。すなわち、記録マネジメントデータ複製領域をまず再生し、その最新ＲＭＤのカレントＲＭＤグループ位置情報を読み出して、そこにジャンプし、そこから記録マネジメント領域に記録された本当の最新ＲＭＤを検索するようにすれば良い。 ＲＭＺ消去動作カウンタはＲＭＺの消去動作が行われるたびに１ずつ増やしていくカウンタである。ＲＭＤグループディフェクト情報は、ＲＭＺグループのディフェクト状態を表すビットマップである。バイト毎に、ＲＭＤグループの番号が割り当てらており、ディフェクトになったＲＭＺグループがあった場合には、それに対応するビットを０ｂから１ｂに変化させる。
【００５１】
ここで、ＲＭＤグループのディフェクトとは、たとえばグループ５つのＲＭＤのうち３個のＲＭＤが読み取り不可能になった場合等をさす。また、この情報をＲＭＤグループではなく、ＲＭＤグループ情報としても良い。この場合には、バイト毎にマネジメント領域内のすべてのＲＭＤを割り当て、ＲＭＤがディフェクトになった場合には、それに対応するビットを０ｂから１ｂに変化させるようにする。この場合、グループ内のいくつのＲＭＤがディフェクトになったらそのＲＭＤグループを使用禁止にするかどうかの判定を後から行うことが可能となる。いずれも場合も、ディフェクト情報のビットが１ｂになっているＲＭＤグループもしくはＲＭＤ情報は信頼性の低い情報として取り扱うようにすし、ＲＭＤグループがディフェクトと判定された場合には、次のＲＭＤグループを使用するようにする。
【００５２】
図２０にフィールド１の情報を示す。フィールド１は光ディスクに記録を行った光ディスク装置の情報と使用したテスト領域の情報、ドライブが固有のフォーマットで記録が可能な記録波形情報を記録するフィールドである。これらの情報は２５６バイトごとに一まとめにされており、それぞれ＃１、＃２と名前がつけられている。図示しないが、＃４まで存在し、残りのバイトは予備となっている。テスト領域使用アドレス情報は内周テスト領域用、外周テスト領域用、拡張テスト領域用とぞれぞれの領域に対して独立に用意されている。ここには、自分が使用したテスト領域の最後のアドレス、もしくは使用しなかった場合には、すでに保存されていたアドレス情報を記録すし、テストゾーン使用識別子に０を記録する。また、拡張テスト領域が拡張されていない状態では、拡張領域使用アドレスにはすべて０が記録される。
【００５３】
図２１にフィールド３の内容を示す。フィールド３には、フォーマット動作状態の管理情報と、データ領域の記録状態の管理情報が記録されている。フォーマット動作コードには図２１（ｂ）に示される情報が記録される。たとえば、ここが００ｂの場合には、ディスクは通常状態で、フォーマット動作が実行されていないことが判別できる。また０１ｂの場合には、Ｆｕｌｌフォーマット動作実行中であることがわかる。
【００５４】
本発明の光ディスクでは、このフォーマット動作コードに、Ｆｕｌｌフォーマットや拡張フォーマットのほかに、従来別の動作とされていた管理領域消去フォーマットや、完全消去フォーマットを加え、１種類のＲＭＤで一元的に管理している。これによって、従来のＤＶＤ−ＲＷのように、フォーマットタイプを切り替えたりすることなく、データの記録を行うことが可能になる。
【００５５】
同じく、記録情報１及び記録情報２に関しても、図２１（ｂ）に内容が示されている。記録情報１には、フォーマット動作の開始物理セクター番号（PSN）が保存され、記録情報２には、フォーマットする領域のサイズか、もしくは終了マーカブロックの開始物理セクター番号（PSN）が保存される。
【００５６】
カレントフォーマット領域開始物理セクター番号はデータ領域内のフォーマット領域の開始物理セクター番号が保存される。ここは、データ領域内にフォーマット領域が形成されている場合には、１層ディスクの場合には30000h、２層ディスクの場合には40000h等のアドレスが記録され、形成されていない場合にはすべて０で埋められる。カレントフォーマット領域最終物理セクター番号（PSN）はデータ領域内のフォーマット領域の最終の物理セクター番号（PSN）が保存される。最大既フォーマット領域最終物理セクター番号（PSN）には、過去にフォーマットされた領域の最終物理セクター番号（PSN）が保存される。
【００５７】
２層ディスクの場合には、これはレイヤー毎に別々に保存される。さらに、２層ディスクの場合には、レイヤー１の内周側が終端記録可能管理領域から連続的に記録されている場合、すなわちディスクが完全状態である場合には、レイヤー１のフォーマット領域の最外周物理セクター番号（ＰＳＮ）、すなわちレイヤー１のフォーマット領域開始物理セクター番号（ＰＳＮ）も保存する。
【００５８】
これによって、現在のフォーマット領域を拡張する場合に、そのサイズが最大既フォーマット領域最終物理セクター番号（PSN）を下回っていれば、データ領域のダミー記録を行わなくて良い（後述）という利点がある。
【００５９】
（記録データの構造）
図２２に本発明の実施例に記録するデータの構造を示す。記録データはデータセグメントに分割されて管理されている。データセグメントは物理的には物理セグメント（PS）ブロックと対応しており、１データセグメントのデータは光ディスク上には１ＰＳブロックの範囲に記録される。データセグメントはＶＦＯ、データフィールド、ポストアンブル（PA）、予備、バッファーで構成されている。ＶＦＯは再生時にデータのクロックを安定抽出するための固定連続パターンが記録されている。ポストアンブルはデータの最後を示す特殊パターンであり、バッファー領域は、ＰＳブロックが重なって記録されたときの、データフィールド破壊防止領域として配置されている。データフィールドは３２のセクターで構成されており、各セクターはData ID及びそのエラー検出コード（IED）、メインデータ及びそのエラー検出コード（EDC）を有している。メインデータには上述の管理情報や、ユーザーデータといったデータが保存される。Data IDには、記録タイプや、領域タイプ、データタイプ、レイヤ番号といった管理情報、セクターに通番で振られるデータフレーム番号が保存される。
【００６０】
ここで、領域タイプとは、そのセクターの属性を現すもので、たとえば領域タイプを２バイトとすると００ｂであればデータ領域属性、０１ｂであれば先頭管理領域属性、１０ｂであれば終端管理領域属性、１１ｂであれば中間管理領域属性を示す。データタイプとは、そのセクターのデータの種類を現すたとえばデータタイプが１バイトである場合０ｂであれば、メインデータは通常のデータ、１ｂであればメインデータは光ディスク装置が自動的に記録を行ったパディング用のダミーデータであることを示す。
【００６１】
（ディスクの状態変化）
図２３にフォーマットの種類とディスクの状態変化を示す。ディスクははじめ、何も記録が行われていない空状態にある。本発明の光ディスクは、フォーマット情報の一元的な管理によって、フォーマットを行わなくても情報の記録が可能である。ただし、ディスク上に途切れなくデータを記録するために、記録開始位置はデータ領域の先頭に固定されており、その後は連続的なアドレスに対して追加記録を行う必要がある。
【００６２】
このように、ディスクに情報が記録された場合、ディスクの状態は中間記録状態となる。中間状態では、データの追加記録、既記録領域への上書き記録、Quick拡張フォーマット等が可能である。中間状態では、記録可能管理領域のフォーマット情報が有効でないこと、フォーマット領域後端のリードアウト領域が小さいことから、再生専用ディスクとの互換性が低く、再生専用の光ディスク装置で再生するのが困難である。一方で、データの追加記録が可能となっている。
【００６３】
また、Quickフォーマットも可能であるが、Quickフォーマットを実施すると、記録されていたデータ領域のユーザーデータは消去される。Ｃｌｏｓｅ動作、Ｆｕｌｌフォーマット動作を行うと状態はディスクの状態は完全状態となる。この場合、ディスクには、既記録領域への上書き記録、拡張フォーマット、が可能である。完全状態では、マネジメント領域のパディング、フォーマット情報の有効な記録が行われており、フォーマット領域の後端に十分なリードアウト領域が確保されていることから、再生専用ディスクとの互換性が高く、この状態のディスクは再生専用の光ディスク装置で容易に再生することが可能になる。
【００６４】
Ｆｕｌｌフォーマットも可能であるがこれを実施すると記録されていたデータ領域のユーザーデータは消去される。一方、完全状態を中間状態に戻すためには、QuickもしくはQuick拡張動作を実施すればよい。完全状態もしくは中間状態のディスクを空状態に戻すには、管理領域消去フォーマットもしくは完全データ消去フォーマットを実行すればよい。また、いずれの状態からでも、RMDのディスク状態を記録禁止状態にすることで、ディスクのデータ領域への情報の記録を禁止することが可能となる。
【００６５】
図２４に本発明の実施例の一つである光ディスクの空状態の例を示す。”ＧＴ”はガード領域、“ＴＺ”はテスト領域、”ＲＤＺ”は記録マネジメントデータ複製領域、ＲＭＺは記録マネジメント領域、”ＲＷＰＦＩ”はフォーマット情報記録領域、“Ｒ”はリファレンスコード情報記録領域、”Ｄ”はデータ領域を示している。
【００６６】
図２４（ａ）は完全に未記録な状態を示している。また、図２４（ｂ）はディスクにＲＭＤだけが記録された状態を示している。この場合も、データエリアに記録が行われておらず、ＲＭＤのディスク状態情報が００ｈであれば、ディスクは空状態とみなされる。図２４（ｃ）は管理領域消去フォーマット実行後の状態を示している。この場合、データ領域に、過去に記録されたデータが残っているが、管理領域が消去されており、フォーマット領域の終端領域等の情報が失われている。記録マネジメント領域の最初のディフェクト出ないＲＭＤグループには有効なＲＭＤが記録されており、それ以外の領域は消去用のデータで埋められている。また、有効なＲＭＤのディスク状態情報は００ｈとなっている。この状態も未記録状態とみなすことができる。
【００６７】
ここで、消去用のデータとは、データ領域の場合はメインデータが００ｈで埋められたデータであり、管理領域では、特定の領域の情報が無効になっているデータやメインデータが００ｈ、ＡＡｈ、ＦＦｈ等の特殊パターンで埋められているデータである。特定の領域の情報が無効になっているデータとは、たとえばフォーマット情報の場合には、フォーマット領域の終了物理セクター番号（PSN）が００ｈになっているもの、ＲＭＤの場合は、ディスク状態が００ｈであり、更新カウンターがすべて１、もしくは０になっているものなどがある。
【００６８】
図２５に本発明の実施例の一つである光ディスクの中間記録状態の例を示す。データ領域にフォーマット領域が形成され、その終端位置に中間記録状態終端ブロックが記録されており、記録可能管理領域のフォーマット情報記録領域が未記録か、記録されていてもたとえばフォーマット領域の最終物理セクター番号が００ｈ等、有効なデータが記録されていない状態を中間状態とする。またこのとき、最新のＲＭＤのディスク状態は１３ｈを示す。
【００６９】
ここで、中間記録状態終端ブロックは領域タイプが終端管理領域属性（１０ｂ）の３２ＰＳブロックのデータである。ここで、中間記録状態では、このフォーマット領域の終端から引き続きユーザーデータ等のデータを追加記録することが可能である。このとき中間記録状態終端ブロックは上書きされる。そして、データの追加記録が終了したら再び、その位置から中間記録状態終端ブロックを記録する。中間記録状態終端ブロックは、フォーマット領域の終端がどこにあるかを検索するために利用される。
【００７０】
図２５（ａ）は未記録から追加記録もしくはQuickフォーマット等が実行されてできた中間記録状態である。図２５（ｂ）及び（ｃ）は既記録ディスクに対してQuickフォーマットを実行することでできた中間記録状態である。このとき、フォーマット情報にはフォーマット領域の最終物理セクター番号が００ｈ等、消去用のデータが記録されている。
【００７１】
また、いずれの状態においても、カレントフォーマット領域はデータ領域の先頭から、一番内周側の中間記録状態終端ブロックの手前までである。図２５（ｃ）では過去の記録データがカレントフォーマット領域の外側に残っているが、この領域はカレントフォーマット領域とはみなされない。また、カレントフォーマット領域に対してはどの場所であってもデータの上書きが可能である。また、この状態では、中間記録終端ブロックの開始物理セクターからデータを追加記録することが可能である。ここで、追加記録とは、連続的なアドレスに対して行われる記録で、アドレスが離れた場所に記録を行うことはできない。
【００７２】
図２６に本発明の実施例の一つである光ディスクの完全記録状態の例を示す。記録マネジメント領域がすべて記録され、フォーマット情報及びリファレンスコード情報に有効な情報が記録されており、データ領域の内周側から連続的なフォーマット領域が形成され、フォーマット領域の終端に終端ブロックが形成されている状態を完全記録状態とする。終端ブロックは図２７で示された大きさの領域タイプが終端管理領域属性（１０ｂ）のデータである。また、カレントフォーマット領域はデータ領域の先頭から最も内周側の終端ブロックの手前までである。また、カレントフォーマット領域に対してはデータの上書きが可能であるが、終端ブロックからディスクの最外周までは、管理領域とみなされ、データの追加記録を行うことはできない。
【００７３】
従って、フォーマット情報のフォーマット領域終了物理セクター番号には、正しいフォーマット領域の終了物理セクター番号が保存される。この領域にデータを追加記録するためには、たとえばQuick拡張フォーマットを実行して、ディスクを中間記録状態に戻すか、拡張フォーマットを実行してカレントフォーマット領域を拡張する必要がある。
【００７４】
図２８に空状態のディスクに対する記録動作の状態を示す。ここで、矢印及び点線は各状態での記録の範囲を示している。図２８（ａ）は未記録のディスクを示している。本発明の光ディスクは、フォーマットを必要としないので、未記録のディスクに対して、いきなりユーザーデータを追加記録することが可能となる。図２８（ｂ）はこの状態を示している。ユーザーデータの記録が中断したら、ユーザーデータの終端位置に中間記録状態終端ブロックを記録する。これで、ディスクは中間状態となる。
【００７５】
中間記録状態では、カレントフォーマット領域の中であれば、どこのアドレスであっても自由に記録が可能である。一定量のユーザーデータを記録していれば、記録マネジメント領域にＲＭＤを記録する。このとき、ディスク状態は１３ｈとし、カレントフォーマット領域開始物理セクター番号及び最終物理セクター番号を更新する。この状態では、フォーマット領域内であれば、どこでもデータの上書きが可能である。
【００７６】
また、引き続きユーザーデータを追加記録していく際には図２８（ｃ）に示すようにフォーマット領域の終端からデータを記録していく。このとき、前の中間記録状態終端ブロックは上書きでなくなる。さらに、記録が終了したら、中間記録状態終端ブロックを追加記録する。ここで、光ディスク装置がスリープ状態に入ったり、ディスクが装置から取り出される指令がホストからなされた場合には、記録マネジメント領域の最新のＲＭＤを記録マネジメントデータ複製領域にコピーする。
【００７７】
図２９に空状態のディスクに対するＦｕｌｌフォーマット動作の状態を示す。Ｆｕｌｌフォーマットは過去のユーザーデータを消去し、かつディスクを完全状態にするためのフォーマット動作である。のホストからＦｕｌｌフォーマットの指令が出た場合には、光ディスクはまず、記録マネジメント領域にＲＭＤを記録する。このときディスク状態は１１ｈとし、フォーマット動作コードを０１ｈとする。そして、指定されたフォーマット領域のサイズに従って、記録情報１及び２を更新する。引き続き、指定されたサイズだけデータ領域にメインデータが００ｈのデータを記録し、記録が終了したら終端ブロックを記録する。さらに、フォーマット情報とリファレンスコード情報を記録し、記録マネジメント領域の未記録領域を最新のＲＭＤで埋める。このとき、最新のＲＭＤのディスク状態は１２ｈ、フォーマット動作コードは００ｈとし、カレントフォーマット領域開始物理セクター番号と最終物理セクター番号を更新する。
【００７８】
また、パディング状態情報のフォーマット情報、リファレンスコード情報、記録マネジメント領域に割り当てられたフラグを記録状態（１ｂ）に変更する。さらに、更新データエリア構造の記録可能最大物理セクター番号にカレントフォーマット領域の最終物理セクター番号を保存しても良い。
【００７９】
この結果が図２９（ｂ）である。図示はしないが、フォーマットの途中でホストから何らかの指令が入りフォーマットを中断する場合には、データ領域へのデータの記録を中断し、中間記録状態終端ブロックを追加記録する。この場合、フォーマット情報には有効な情報の記録は行わない。結果として、ディスクは中間記録状態となる。
【００８０】
また、図２９（ｃ）は図２９（ｂ）の状態のディスクにさらにＦｕｌｌフォーマットを行った場合の状態を示している。この場合、まずディスク状態が１１ｈのＲＭＤが記録され、フォーマット動作が開始される。ここで、本発明の光ディスクでは、通常のＦｕｌｌフォーマット動作では記録マネジメント領域の消去、もしくはフォーマットを行わないので、過去のＲＭＤの情報が保持されるという特徴がある。ＲＭＤの記録に引き続き、データ領域の最内周から順次メインデータが００ｈのデータが記録する。これで、過去のユーザーデータは消去される。そして指定の領域まで記録が完了したら、終端ブロックを記録する。そして、ＲＭＤとフォーマット情報を更新する。
【００８１】
ここで、本発明の光ディスクでは、Ｆｕｌｌフォーマットによって過去のＲＭＤのデータが失われず、かつＲＭＤにパディング状態情報を保持しているので、記録マネジメント領域がパディングされていることが確認できた場合は、図２９（ｄ）に示すようにＲＭＤは最新のグループ１つだけを記録すればよい。
【００８２】
図３０に拡張フォーマット動作の状態を示す。拡張フォーマットは、中間記録状態もしくは完全状態にあるディスクに対して、既存のカレントフォーマット領域の容量を拡張し、かつディスクを完全状態にするための動作である。図３０（ａ）は中間記録状態のディスクを示している。このディスクに対して、ホストから拡張フォーマットの指示があった場合、光ディスク装置はまずＲＭＤを記録する。このとき、ディスク状態は１１ｈとし、フォーマット動作コードは０２ｈとする。さらに、記録情報１及び２を更新する。
【００８３】
続いて、図３０（ａ）の状態のカレントフォーマット領域の中間記録終端ブロックの先頭物理セクターからメインデータが００ｈのデータを指定のサイズだけ記録し、その後、終端ブロックを記録する。そして、フォーマット情報、リファレンスコード情報を更新し、マネジメント領域を最新のＲＭＤで埋める。このとき最新のＲＭＤのディスク状態は１２ｈとする。フォーマット動作コードは００ｈとし、カレントフォーマット領域開始物理セクター番号と最終物理セクター番号を更新する。また、パディング状態情報のフォーマット情報、リファレンスコード情報、記録マネジメント領域に割り当てられたフラグを記録状態（１ｂ）に変更する。これが図３０（ｂ）の状態である。このように拡張フォーマットでは既存のユーザーデータが記録されたカレントフォーマット領域を保持したまま、カレントフォーマット領域の拡大ができる。さらに、カレントフォーマット領域を拡張する場合には、図３０（ｃ）のように再び、拡張フォーマットを実施すればよい。
【００８４】
図３１及び図３２にQuickフォーマット動作の状態を示す。図３１（ａ）は未記録のディスクを示している。このディスクに対して、ホストからQuickフォーマットの指示があった場合、光ディスク装置はまずＲＭＤを記録する。このときディスク状態は１１ｈである。フォーマット動作コードは０５ｈとする。さらに、記録情報１及び２を更新する。次に、データ領域の最内周からっ順次、メインデータが００ｈのデータを記録していく。指定のサイズの記録が完了したら、中間記録終端ブロックを記録し、再びＲＭＤを記録する。この際最新のＲＭＤのディスク状態は１３ｈである。フォーマット動作コードは００ｈとし、カレントフォーマット領域開始物理セクター番号と最終物理セクター番号を更新する。この状態が図３１（ｂ）の状態である。
【００８５】
図３２（ａ）は完全状態のディスクを示している。このディスクに対して、ホストからQuickフォーマットの指示があった場合、光ディスク装置はまずＲＭＤを記録する。このときディスク状態は１１ｈである。フォーマット動作コードは０５ｈとする。さらに、記録情報１及び２を更新する。また、前の状態が完全状態であることを確認した場合、もしくはパディング状態のフォーマット情報が１ｂになっていた場合には、フォーマット情報記録領域に何らかの情報が記録されているため、フォーマット情報を更新する。次に、データ領域の最内周から順次、メインデータが００ｈのデータを記録していく。指定のサイズの記録が完了したら、中間記録終端ブロックを記録し、再びＲＭＤを記録する。この際最新のＲＭＤのディスク状態は１３ｈである。フォーマット動作コードは００ｈとし、カレントフォーマット領域開始物理セクター番号と最終物理セクター番号を更新する。この状態が図３２（ｂ）の状態である。
【００８６】
このように、本発明の実施例のQuickフォーマット動作では、空状態もしくは中間記録状態のディスクに対しては、フォーマット情報のリセットは行わないが、前の状態が完全状態であった場合には、そのフォーマット情報を消去する。従って、本フォーマットでは記録マネジメント領域の情報は保持されるが、フォーマット情報は有効でないデータで上書きされる。このことにより、たとえば再生専用の装置に中間記録状態のディスクが挿入された際に、装置が過去のフォーマット情報に従って、ディスクを完全状態と誤認識し、誤動作を起こすことを避けることができる。
【００８７】
図３３及び図３４にQuick拡張フォーマットの状態を示す。図３３（ａ）は中間記録状態のディスクを示している。このディスクに対して、ホストからQuick拡張フォーマットの指示があった場合、光ディスク装置はまずＲＭＤを記録する。このときディスク状態は１１ｈである。フォーマット動作コードは０５ｈとする。次に、中間記録終端ブロックの開始物理セクターから、メインデータが００ｈのデータを記録していく。指定のサイズの記録が完了したら、中間記録終端ブロックを記録し、再びＲＭＤを記録する。この際最新のＲＭＤのディスク状態は１３ｈである。フォーマット動作コードは００ｈとし、カレントフォーマット領域開始物理セクター番号と最終物理セクター番号を更新する。この状態が図３３（ｂ）の状態である。
【００８８】
図３４（ａ）は完全状態のディスクを示している。このディスクに対して、ホストからQuick拡張フォーマットの指示があった場合、光ディスク装置はまずＲＭＤを記録する。このときディスク状態は１１ｈである。フォーマット動作コードは０５ｈとする。さらに、元の状態が完全状態であるため、フォーマット情報を更新する。次に、終端ブロックの開始物理セクターから順次、メインデータが００ｈのデータを記録していく。指定のサイズの記録が完了したら、中間記録終端ブロックを記録し、再びＲＭＤを記録する。この際最新のＲＭＤのディスク状態は１３ｈである。フォーマット動作コードは００ｈとし、カレントフォーマット領域開始物理セクター番号と最終物理セクター番号を更新する。この状態が図３４（ｂ）の状態である。
【００８９】
図３５にクローズ動作の状態を示す。図３５（ａ）は中間記録状態のディスクを示している。このディスクに対してホストからクローズの指示があった場合、光ディスク装置は、まずＲＭＤを記録する。このとき、最新のＲＭＤのディスク状態は１１ｈである。フォーマット動作コードは０６ｈとする。続いて、中間記録終端ブロックに領域タイプが終端管理領域属性（１０ｂ）のデータを追加記録して、終端ブロックを生成する。さらに、フォーマット情報及びリファレンスコード情報を記録し、記録マネジメント領域の未記録部分を最新のＲＭＤでパディングする。ここで、最新のＲＭＤのディスク状態は１２ｈである。フォーマット動作コードは００ｈとする。この状態が図３５（ｂ）の状態である。
【００９０】
図３６に完全消去フォーマット動作の状態を示す。図３６（ａ）は完全状態のディスクを示している。このディスクに対してホストから完全消去フォーマットの指示があった場合、光ディスク装置は、まずＲＭＤを記録する。このとき、ディスク状態は１１ｈである。フォーマット動作コードは０８ｈである。次に消去用のデータをフォーマット情報から順にデータエリアの最外周まで記録する。その後、記録マネジメント領域の最初のディフェクトでないＲＭＤグループに有効なＲＭＤを記録し、残りの領域を消去用のデータもしくは最新のＲＭＤですべて記録する。
【００９１】
さらに、記録マネジメントデータ複製領域も同様に最初のディフェクトでないＲＭＤグループに有効なＲＭＤを記録し、残りの領域を消去用のデータもしくは最新のＲＭＤですべて記録する。このとき最新のＲＭＤのディスク状態は００ｈである。また、消去動作カウンタを１つカウントアップしている。この状態が図３６（ｂ）の状態である。
【００９２】
このように、本発明の光ディスクでは、情報の消去をＤＣ消去ではなく消去用のデータで行う。これにより、たとえば、本フォーマットを多層のディスクに用いた場合にも、記録、未記録領域の差による層間クロストークの問題等を除くことができる。また、本発明の光ディスクはこのような消去用のデータをディスク全面に記録することで、ユーザーが消去したいと思ったデータを物理的に消し去ることが可能であるので、セキュリティの高い光ディスクである。
【００９３】
図３７に管理領域消去フォーマットの状態を示す。図３７（ａ）は完全状態のディスクを示している。このディスクに対してホストから管理領域消去フォーマットの指示があった場合、光ディスク装置は、まず記録マネジメント領域の最初に有効なＲＭＤグループにＲＭＤを記録する。このとき、ディスク状態情報は１１ｈである。フォーマット動作コードは０７ｈである。次に消去用のデータを次のＲＭＤグループからフォーマット情報の最終物理セクター、もしくはリファレンスコード情報まで記録する。その後、記録マネジメント領域の最初のディフェクトでないＲＭＤグループに有効なＲＭＤを上書する。さらに、記録マネジメントデータ複製領域も同様に最初のディフェクトでないＲＭＤグループに最新のＲＭＤを記録し、残りの領域を消去用のデータもしくは最新のＲＭＤですべて記録する。このとき最新のＲＭＤのディスク状態は００ｈである。また、消去動作カウンタを１つカウントアップしている。この状態が図３６（ｂ）の状態である。
【００９４】
他の消去方法として、たとえば、記録マネジメントデータ複製領域及び記録マネジメント領域のすべてのＲＭＤに同じ消去用のＲＭＤを記録する方法もある。これが図３６（ｃ）の状態である。このとき、ＲＭＤの更新カウンタは０もしくは１である。
【００９５】
管理領域消去フォーマットのもう一つの実施例として、次の方法がある。ホストから管理領域消去フォーマットの指示があった場合、光ディスク装置は、まず記録マネジメントデータ複製領域のすべてもしくはすでに使用されている部分等の一部のＲＭＤにＲＭＤを記録する。このとき、ディスク状態は１１ｈである。
【００９６】
フォーマット動作コードは０７ｈである。次に消去用のデータを次のＲＭＤグループからフォーマット情報の最終物理セクター、もしくはリファレンスコード情報まで記録する。その後記録マネジメント領域の最初に有効なＲＭＤグループ及び記録マネジメントデータ複製領域にＲＭＤを再び記録する。このＲＭＤのディスク状態情報は００ｈである。
【００９７】
この様に、本発明の光ディスクでは管理情報のみを消去することが可能であるため、ディフェクト等によって、管理情報にエラー起こった場合でも、速やかにディスクを再フォーマットすることが可能である。
【００９８】
続いて、本発明の実施例の一つである、ＲＭＤ内の最大既フォーマット領域最終物理セクター番号の使用方法について説明を行う。
【００９９】
図３８はＦｕｌｌフォーマット動作時の状態を示している。図３８（ａ）は未記録のディスクを示している。このディスクをＦｕｌｌフォーマットした場合、ディスクは図３８（ｂ）の状態になる。ここで、最大既フォーマット領域最終物理セクター番号はカレントフォーマット領域の最終物理セクターである（Ａ）が保存されている。このディスクにさらに前回よりも小さいサイズのＦｕｌｌフォーマットを実施した場合を図３８（ｃ）に示す。この場合、カレントフォーマット領域は、指定されたサイズに従って、縮小している。しかし、最大既フォーマット領域最終物理セクター番号は前回の状態をそのまま保持する。
【０１００】
次に、このディスクにさらに前回よりも小さいサイズのＦｕｌｌフォーマットを実施した場合を図３８（ｄ）に示す。この場合、最大既フォーマット領域最終物理セクター番号を前回のフォーマット領域の最終物理セクター番号である（Ｂ）に移動する。
【０１０１】
次に、前回よりも大きいサイズのＦｕｌｌフォーマットを実施した場合を図３８（ｅ）に示す。ここで、指定されたサイズが（Ｂ）より内側であれば、光ディスク装置は、図３８（ｂ）の状態の終端ブロックを領域タイプがデータ領域属性のデータで上書きし、指定されたサイズの次の物理セクターから終端ブロックを記録する。すなわち、この方式ではすでにデータ領域属性のデータで記録されている部分については、フォーマットの為のデータの記録を端折ることが可能になるという利点がある。
【０１０２】
また、図示はしないが図３８（ｂ）の状態から（Ｂ）の位置より大きいサイズのＦｕｌｌフォーマットを実行する場合には、光ディスク装置は、図３８（ｂ）の状態の終端ブロックを領域タイプがデータ領域属性のデータで上書きし、さらに（Ｂ）の位置から指定のサイズまで、メインデータが００ｈのデータを記録する。
【０１０３】
図３９と図４０に拡張フォーマット動作の状態を示している。図３９（ａ）は完全状態のディスクを示している。このディスクに拡張フォーマット動作をした場合、図３９（ｂ）に示すようにカレントフォーマット領域が拡大し、最大既フォーマット領域最終物理セクター番号が変化する。
【０１０４】
図４０（ａ）はカレントフォーマット領域から離れた位置に最大既フォーマット領域最終物理セクター番号がある状態を示している。このディスクに拡張フォーマットを行う場合、光ディスク装置は終端ブロックを領域タイプがデータ領域属性のデータで上書きし、さらに指定されたサイズの次の物理セクターから終端ブロックを記録する。
【０１０５】
図４１にQuickフォーマット動作、図４２と図４３にQuick拡張の状態を示す。この場合にもＦｕｌｌフォーマット等と同様に一部のフォーマット用データの記録を割愛することが可能になる。
【０１０６】
このように本発明の最大既フォーマット領域最終物理セクター番号は、カレントフォーマット領域の終端ブロックの次にくる領域タイプが終端管理領域属性の物理セクターの一つ手前の物理セクターに設定されている。この情報を利用すれば、ディスクへの実際の記録範囲が削減できるため、フォーマットの時間を短縮することができる。また、図示はしないが、Fullフォーマット及びQuickフォーマットに関しては、終端ブロックのほかに常にデータ領域の先頭の数十もしくは数百ＰＳブロックを常に上書きするようにしてもよい。こうすることで、データ領域に記録されたファイルシステムのヘッダ情報を消去することが可能になる。
【０１０７】
続いて、本発明の最大既フォーマット領域最終物理セクター番号の使用方法のほかの実施例について説明を行う。
【０１０８】
図４４はＦｕｌｌフォーマット動作の状態を示している。本実施例では、図４４（ｃ）の状態すなわち、カレントフォーマット領域が最大既フォーマット領域最終物理セクター番号（Ａ）の内側にある状態から、さらに小さい状態に再フォーマットされる場合に、図４４（ｃ）の状態の終端ブロックもしくは中間記録終端ブロックを領域タイプがデータ領域属性のデータで上書きする動作を加えている。この結果、サイズの小さいＦｕｌｌフォーマットを実施しても、最大既フォーマット領域最終物理セクター番号が小さくならないという利点が生まれる。
【０１０９】
図４５はＦｕｌｌフォーマット動作の状態を示している。本実施例では、既存のカレントフォーマット領域に対して、サイズの小さいＦｕｌｌフォーマットを行う際には、常に、前回の終端ブロックもしくは中間記録終端ブロックを領域タイプがデータ領域属性のデータで上書きする動作を加えている。この結果、サイズの小さいＦｕｌｌフォーマットを複数回実施しても、最大既フォーマット領域最終物理セクター番号が小さくならないという利点が生まれる。
【０１１０】
図４６はQuickフォーマット動作の状態を示している。本実施例では、図４４と同様に、カレントフォーマット領域が最大既フォーマット領域最終物理セクター番号（Ａ）の内側にある状態から、さらに小さい状態に再フォーマットされる場合に、図４４（ｃ）の状態の終端ブロックもしくは中間記録終端ブロックを領域タイプがデータ領域属性のデータで上書きする動作を加えている。この結果、サイズの小さいQuickフォーマットを実施しても、最大既フォーマット領域最終物理セクター番号が小さくならないという利点が生まれる。
【０１１１】
また、ＲＭＤに保存された既フォーマット領域の情報は管理領域消去フォーマットや完全消去フォーマットでリセットされる。
【０１１２】
図４７に最大既フォーマット領域最終物理セクター番号のそのほかの利用方法を説明する。
【０１１３】
図４７に示す方法では、光ディスク装置は、通常ホストからの命令によって、カレントフォーマット領域にユーザーデータを記録しているが、ホストからの命令がない空き時間には、ディスクのフォーマット領域以外の領域にダミーデータを記録していき、最大既フォーマット領域を拡大する。そして、その結果をＲＭＤの最大既フォーマット領域最終物理セクター番号に保存しておく。こうすることで、次にホストから、フォーマットの命令が来た際に、命令後は終端ブロックの記録のみで、フォーマットが完了し、ユーザーから見てフォーマットの時間が短縮されるという利点がある。
【０１１４】
次に、本発明の実施例の一つである２層の情報記録レイヤーを有する光ディスクについて説明を行う。
【０１１５】
図４８は２層の情報記録レイヤーを有する光ディスクの模式図である。
【０１１６】
図４９に情報記録レイヤーのレイアウトを示す。レイヤー１の最内周にＢＣＡが配置され、続いて、エンボス管理領域、記録可能管理領域、データ領域、記録可能管理領域の順に配置されている。アドレスは、始端記録可能管理領域、レイヤー０のデータ領域、中間記録可能管理領域、レイヤー１のデータ領域、終端記録可能管理領域の順にインクリメントして振られている。
【０１１７】
図５０に内周側の、図５１に外周側の詳細なレイアウトを示す。２層ディスクでは、他層の記録状態の影響をなるべく避けるために、テスト領域及び、マネジメント領域に当たる反対の層にはガード領域を配置している。
【０１１８】
図５２に２層ディスクの中間記録状態を示す。図の丸括弧は領域タイプの属性を示している。（ＬＩ）は始端記録可能管理領域属性、（Ｄ）はデータ領域属性、（Ｍ）は中間記録可能管理領域属性、（ＬＯ）は終端記録可能管理領域属性をあらあわしている。２層ディスクにおいても、始端記録管理領域と中間記録状態終端ブロックではさまれた範囲が中間記録状態のカレントフォーマット領域となる。ただし、フォーマット領域がレイヤー０からレイヤー１へまたぐ部分には中間管理領域ブロックが記録される。後述の中間記録可能管理領域の拡張動作により、ＲＭＤに保存されたレイヤー０の記録可能最大物理セクター番号（ＰＳＮ）の値が変更されている場合には、図５２（ｃ）に示すように、拡張中間管理領域ブロックが記録される。中間記録状態には、未記録ディスクへの記録、Quickフォーマット、Quick拡張フォーマットを行うことで、移行することができる。
【０１１９】
図５３に２層ディスクの完全状態を示す。２層ディスクでは始端記録管理領域と終端ブロックもしくは終端記録管理領域ではさまれた領域が完全状態のカレントフォーマット領域となる。ただし、図５３（ａ）のように、カレントフォーマット領域がレイヤー０で終わっている場合には、レイヤー０に終端ブロックを記録し、さらに、レイヤー１の部分にも終端ブロックを記録する必要がある。加えて、レイヤー１の外周側の終端ブロックと既存の終端記録可能管理領域の間をダミーデータ等何らかの記録データで埋める必要がある。
【０１２０】
このとき、領域タイプが終端記録可能管理領域属性のデータで挟まれていれば、本発明の光ディスク装置は前後の属性情報からそこがダミー領域であるとの判別をする機能を有しているため、レイヤー１のこの領域は何の属性であってもかまわない。また、図５３（ｂ）に示すように、終端ブロックの外周側にある領域はカレントフォーマット領域に含まれない。
【０１２１】
図５３（ｃ）にはカレントフォーマット領域がレイヤー０とレイヤー１にまたがる場合を示す。この場合、レイヤー０とレイヤー１の間には、拡張中間管理領域ブロックか、もしくは中間管理領域ブロックを配置する。
【０１２２】
図５３（ｃ）のように中間記録可能管理領域が拡張されている場合には、ＲＭＤのレイヤー０の更新記録可能最大物理セクター番号（ＰＳＮ）と、フォーマット情報のレイヤー０のフォーマット領域最終物理セクター番号（ＰＳＮ）が変更されている。完全状態へは、Ｆｕｌｌフォーマット、Ｆｕｌｌ拡張フォーマット、中間状態のディスクへのクローズ動作によって移行することができる。
【０１２３】
図５４及び図５５に中間記録可能領域の拡張動作を示す。
【０１２４】
光ディスク装置は、ホストから中間記録可能領域の拡張の指示を受けた場合、ＲＭＤのデータ記録構造のレイヤー0の更新記録可能最大物理セクター番号（ＰＳＮ）を変更する。その結果、図５４（ａ）に示すように、データ領域のサイズが変更できる。つづいて、データを記録していく場合には、図５４（ｃ）に示すようにレイヤー0の更新記録可能最大物理セクター番号（ＰＳＮ）でレイヤー０からレイヤー１に移る。このときさらに、拡張中間管理領域ブロックを記録する。
【０１２５】
通常Quick、Fullフォーマット等の動作を行った場合に、レイヤー０の更新記録可能最大物理セクター番号（ＰＳＮ）をデフォルト値にリセットするが、本発明の光ディスクでは、過去の管理情報が保存されるので、フォーマット後もレイヤー０の更新記録可能最大物理セクター番号（ＰＳＮ）をほじすることも可能である。
【０１２６】
図５５には、データの記録のあとの中間記録可能管理領域の拡張を示している。このように、カレントフォーマット領域がレイヤー0で収まっている場合には、カレントフォーマット領域と干渉しない範囲で、レイヤー０の更新記録可能最大物理セクター番号（ＰＳＮ）の変更が可能である。このこのように、本発明の光ディスクでは、中間記録可能管理領域の調整によって、データ領域を必要なサイズに調整することが可能であり、ユーザーデータが小さい場合には、完全状態におけるダミーデータ等の記録データを削減することができる。
【０１２７】
図５６にレイヤー０及び１の最大既フォーマット最終物理セクター番号及び、レイヤー１の連続記録領域最外周物理セクター番号の保存手順を示す。
【０１２８】
図５６（ａ）に示すように、レイヤー０の最大既フォーマット最終物理セクター番号はカレントフォーマット領域の最外周の物理セクター番号を保存している。ここで、図５６（ｃ）にあるように、カレントフォーマット領域がレイヤー１に移ると、今度は、レイヤー１の最大既フォーマット最終物理セクター番号が保存される。レイヤー１に記録データがない場合には、ここには“０”のデータが保存されている。また、この値は、中間記録可能管理領域が新たに拡張された場合には、リセットされる。
【０１２９】
続いて図５６（ｄ）に完全状態を示す。このとき、レイヤー1はフォーマット領域の先頭から終端記録可能領域まで、連続的にデータが記録されたので、フォーマット領域の先頭の物理セクター番号をレイヤー１の連続記録領域最外周物理セクター番号に保存する。連続記録領域最外周物理セクター番号はクローズ動作にあわせて保存され、中間記録可能管理領域の拡張ではリセットされない。
【０１３０】
図５７及び図５８に最大フォーマット領域最終物理セクターの使用方法を示す。
【０１３１】
図５７に示すレイヤー０の動作は、１層ディスクと同じ動作である。図５８にレイヤー１の最大既フォーマット最終物理セクター番号が保存されている状態を示す。この場合もレイヤー０とレイヤー１のカレントフォーマット領域及び既フォーマット領域を連続とみなせば、動作は１層ディスクと同じである。
【０１３２】
図５９に連続記録領域最外周物理セクター番号が保存された状態での記録を示す。
【０１３３】
図５９（ａ）のように連続記録領域最外周物理セクター番号が保存されている場合、記録途中である図５９（ｂ）からクローズ動作によって完全状態に行こうする場合には、図５９（ｂ）の中間記録状態終端ブロックから連続記録領域最外周物理セクター番号の部分までを記録すればよく、それからさきの部分は記録しなくても良い。
【０１３４】
このように本発明の実施例のひとつである光ディスクは、レイヤー１の連続記録領域最外周物理セクター番号を有し、レイヤー１において、終端ブロックから、終端記録可能管理領域までの間の領域の属性を自由に選択可能であることから、クローズ動作を短縮することができる。
【０１３５】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【０１３６】
【図１】本発明の一実施形態である情報記録再生システムのブロック図。
【図２】本発明の他の実施形態である情報記録再生システムのブロック図。
【図３】本発明の他の実施形態である光ディスク装置のブロック図。
【図４】本発明の実施形態の一つである光ディスクの情報記録レイヤーの模式図。
【図５】光ディスクの案内溝の模式図。
【図６】光ディスクのレイアウトを示す図。
【図７】光ディスクの内周側のレイアウトの詳細を示す図。
【図８】光ディスクの外周側のレイアウトの詳細を示す図。
【図９】光ディスクのエンボス領域と書換え可能な記録領域の物理仕様を示す図。
【図１０】ＢＣＡ領域の構成を示す図。
【図１１】ＢＣＡ領域に記録される情報の一例を示す図。
【図１２】ＢＣＡレコードのブックタイプ・ディスクタイプの詳細を示す図。
【図１３】エンボス領域のフォーマット情報を示す図。
【図１４】記録可能管理領域のフォーマット情報を示す図。
【図１５】マネジメント領域の詳細を示す図。
【図１６】リードイン記録マネジメント情報の詳細を示す図。
【図１７】記録マネジメント情報の構成を示す図。
【図１８】記録マネジメント情報のフィールド0の詳細を示す図。
【図１９】ディスク状態及びパディング状態管理情報の詳細を示す図。
【図２０】記録マネジメント情報のフィールド1の詳細を示す図。
【図２１】記録マネジメント情報のフィールド3の詳細を示す図。
【図２２】データセグメントの構成を示す図。
【図２３】ディスクの状態の変化を示す図。
【図２４】空状態のディスクの状態を示す図。
【図２５】中間記録状態のディスクの状態を示す図。
【図２６】完全状態のディスクの状態を示す図。
【図２７】終端ブロックのサイズを示す図。
【図２８】未記録ディスクに対する記録の手順を示した図。
【図２９】Ｆｕｌｌフォーマットの手順を示した図。
【図３０】拡張フォーマットの手順を示した図。
【図３１】Quickフォーマットの手順を示した図。
【図３２】Quickフォーマットのもう一つの手順を示した図。
【図３３】Quick拡張フォーマットの手順を示した図。
【図３４】Quick拡張フォーマットのもう一つの手順を示した図。
【図３５】クローズの手順を示した図。
【図３６】完全消去フォーマットの手順を示した図。
【図３７】管理領域フォーマットの手順を示した図。
【図３８】最大既フォーマット領域最終物理セクター番号を利用したＦｕｌｌフォーマットの手順を示した図。
【図３９】最大既フォーマット領域最終物理セクター番号を利用した拡張フォーマットの手順を示した図。
【図４０】最大既フォーマット領域最終物理セクター番号を利用したQuickフォーマットの手順を示した図。
【図４１】最大既フォーマット領域最終物理セクター番号を利用したQuickフォーマットのもう一つの手順を示した図。
【図４２】最大既フォーマット領域最終物理セクター番号を利用したQuick拡張フォーマットの手順を示した図。
【図４３】最大既フォーマット領域最終物理セクター番号を利用したQuick拡張フォーマットのもう一つの手順を示した図。
【図４４】Ｆｕｌｌフォーマットの際に過去の終端ブロックを消去する手順を示した図。
【図４５】Ｆｕｌｌフォーマットの際に過去の終端ブロックを消去するもう一つの手順を示した図。
【図４６】Quickフォーマットの際に過去の終端ブロックを消去するもう一つの手順を示した図。
【図４７】光ディスク装置が自動的に既フォーマット領域を拡大する手順を示した図。
【図４８】本発明の一実施形態である２層ディスクのブロック図
【図４９】２層光ディスクの情報記録レイヤーの模式図。
【図５０】２層光ディスクの内周側のレイアウトの詳細を示す図。
【図５１】２層光ディスクの外周側のレイアウトの詳細を示す図。
【図５２】２層光ディスクの中間記録状態を示す図
【図５３】２層光ディスクの完全状態を示す図
【図５４】２層光ディスクの中間記録可能管理領域の拡張を示す第一の図
【図５５】２層光ディスクの中間記録可能管理領域の拡張を示す第二の図
【図５６】２層光ディスクの既フォーマット領域物理セクター番号の保存手順を示す図。
【図５７】２層光ディスクのレイヤー0の既フォーマット領域物理セクター番号の使用手順を示す図。
【図５８】２層光ディスクのレイヤー1の既フォーマット領域物理セクター番号の使用手順を示す図。
【図５９】２層光ディスクのレイヤー1の連続記録領域最外周物理セクター番号の使用手順を示す図。
【符号の説明】
【０１３７】
１０・・・光ディスク、１２・・・光ディスク装置、１４・・・ホスト部、１８・・・ホストＰＣ、２２・・・ＰＵＨアクチュエータ、２４・・・ＰＤ、２６・・・プリアンプ、２８・・・サーボ回路、３０・・・ＲＦ信号処理回路、３２・・・アドレス信号処理回路、３４・・・コントローラー、３６・・・記録信号処理回路、３８・・・ＬＤＤ
【図１】
2007179666.tif 000003
【図２】
2007179666.tif 000004
【図３】
2007179666.tif 000005
【図４】
2007179666.tif 000006
【図５】
2007179666.tif 000007
【図６】
2007179666.tif 000008
【図７】
2007179666.tif 000009
【図８】
2007179666.tif 000010
【図９】
2007179666.tif 000011
【図１０】
2007179666.tif 000012
【図１１】
2007179666.tif 000013
【図１２】
2007179666.tif 000014
【図１３】
2007179666.tif 000015
【図１４】
2007179666.tif 000016
【図１５】
2007179666.tif 000017
【図１６】
2007179666.tif 000018
【図１７】
2007179666.tif 000019
【図１８】
2007179666.tif 000020
【図１９】
2007179666.tif 000021
【図２０】
2007179666.tif 000022
【図２１】
2007179666.tif 000023
【図２２】
2007179666.tif 000024
【図２３】
2007179666.tif 000025
【図２４】
2007179666.tif 000026
【図２５】
2007179666.tif 000027
【図２６】
2007179666.tif 000028
【図２７】
2007179666.tif 000029
【図２８】
2007179666.tif 000030
【図２９】
2007179666.tif 000031
【図３０】
2007179666.tif 000032
【図３１】
2007179666.tif 000033
【図３２】
2007179666.tif 000034
【図３３】
2007179666.tif 000035
【図３４】
2007179666.tif 000036
【図３５】
2007179666.tif 000037
【図３６】
2007179666.tif 000038
【図３７】
2007179666.tif 000039
【図３８】
2007179666.tif 000040
【図３９】
2007179666.tif 000041
【図４０】
2007179666.tif 000042
【図４１】
2007179666.tif 000043
【図４２】
2007179666.tif 000044
【図４３】
2007179666.tif 000045
【図４４】
2007179666.tif 000046
【図４５】
2007179666.tif 000047
【図４６】
2007179666.tif 000048
【図４７】
2007179666.tif 000049
【図４８】
2007179666.tif 000050
【図４９】
2007179666.tif 000051
【図５０】
2007179666.tif 000052
【図５１】
2007179666.tif 000053
【図５２】
2007179666.tif 000054
【図５３】
2007179666.tif 000055
【図５４】
2007179666.tif 000056
【図５５】
2007179666.tif 000057
【図５６】
2007179666.tif 000058
【図５７】
2007179666.tif 000059
【図５８】
2007179666.tif 000060
【図５９】
2007179666.tif 000061